(57)【特許請求の範囲】
【請求項１】
デッキ床の外周に設けられ、端部が互いに隣り合う２枚の幕板の、各々の前記端部を収容する幕板収容部を有して同一形状をなす一対の端部収容材を有し、
各々の前記端部収容材は、前記幕板収容部より突出する突部と、
互いに他の前記端部収容材が有する前記突部を収容する突部収容部と、
を有し、
各々の前記端部収容材の前記突部が、互いに他の前記端部収容材の前記突部収容部に収容され、各々の前記突部が単一の軸により回動自在に支持されて、前記２枚の幕板の前記端部間をカバーすることを特徴とするデッキ床用コーナー部材。
【請求項２】
請求項１に記載のデッキ床用コーナー部材であって、
前記幕板収容部は、前記幕板の外周面と対向する外面部と、前記外面部の上下端から水平方向に延出され前記幕板の上下にそれぞれ位置する一対の上下板部と、を有しており、
各々の前記端部収容材は、
前記一対の上下板部のうちの一方の前記上下板部が延出されて円弧状をなす第１延出部と、
前記一対の上下板部のうちの他方の前記上下板部から延出されて円弧状をなす第２延出部と、
前記第１延出部と前記第２延出部との間に、前記第１延出部及び前記第２延出部と対向して円弧状をなす第３延出部と、
前記第２延出部と前記第３延出部との外周縁を繋ぐとともに前記外面部と繋がって前記突部をなす周面部と、
を有し、
前記第１延出部と前記第３延出部との間が前記突部収容部をなしていることを特徴とするデッキ床用コーナー部材。
【請求項３】
請求項２に記載のデッキ床用コーナー部材であって、
前記端部収容材は、前記第２延出部が前記他方の上下板部より前記第１延出部側に位置して形成される段部を有し、
各々の前記端部収容材の前記突部が、互いに他の前記端部収容材の前記突部収容部に収容されたときに、前記第１延出部が前記段部に配置されることを特徴とするデッキ床用コーナー部材。
【請求項４】
請求項２または請求項３に記載のデッキ床用コーナー部材であって、
前記単一の軸は、前記第１延出部、前記第２延出部、及び、前記第３延出部がなす各円弧の中心を通っており、
各々の前記端部収容材における前記第１延出部と前記第３延出部との間には、各々の前記端部収容材の前記突部が、互いに他の前記端部収容材の前記突部収容部に収容されたときに、前記外面部から繋がって突出し、収容された前記突部との間に配置されるヒレ部が設けられていることを特徴とするデッキ床用コーナー部材。
【請求項５】
請求項２乃至請求項４のいずれかに記載のデッキ床用コーナー部材であって、
前記周面部は、各々の前記端部収容材の前記幕板収容部に前記幕板の前記端部を収容した状態で、２つの前記端部収容材を回動させた際に前記デッキ床を形成する床材と干渉する部位を切除するためのけがき溝が設けられていることを特徴とするデッキ床用コーナー部材。
【請求項６】
請求項５に記載のデッキ床用コーナー部材であって、
前記周面部は、前記けがき溝に沿って切除されたときに、前記第２延出部から前記第３延出部に向かって突出するように縁部が残存し、
前記縁部は、前記第２延出部の下に挿入され前記床材の上面に当接されることを特徴とするデッキ床用コーナー部材。
【発明の詳細な説明】
【技術分野】
【０００１】
本発明は、デッキ床の外周に設けられ互いに隣り合う２枚の幕板間に渡って設けられるデッキ床用コーナー部材に関する。
【背景技術】
【０００２】
デッキ床の外周に設けられ互いに隣り合う２枚の幕板間に渡って設けられるデッキ床用コーナー部材としては、例えば、ガーデンデッキのデッキパネルに装着される鼻隠し板（幕板）に適用した鼻隠し板用継ぎ手が知られている(特許文献１参照)。この鼻隠し板用継ぎ手は、左右方向の中間に位置するヒンジ部を介して一体に接合された２つの正面被覆板を有しており、ヒンジを中心として回動して両正面被覆板の相対角度を任意に変化させることができ、２つの正面被覆板により、隣り合っている鼻隠し板の端部をそれぞれ被覆している。また、２つの正面被覆板は、ヒンジの部分にて折り曲げることにより相対角度を変更することが図示されている。
【先行技術文献】
【特許文献】
【０００３】
【特許文献１】特許４３１８５６８号公報
【発明の概要】
【発明が解決しようとする課題】
【０００４】
上記のような鼻隠し板用継ぎ手は、ヒンジの部分にて折り曲げることにより２つの正面被覆板の相対角度を変更するので、鼻隠し板用継ぎ手を合成樹脂にて形成すると、外部に露出するヒンジの折り曲げた部分が白化して意匠性が損なわれるという課題がある。
【０００５】
本発明は、かかる課題に鑑みてなされたものであり、その目的とするところは、角度調節が容易でかつ意匠性に優れ安価なデッキ床用コーナー部材を提供することにある。
【課題を解決するための手段】
【０００６】
かかる目的を達成するために本発明のデッキ床用コーナー部材は、デッキ床の外周に設けられ、端部が互いに隣り合う２枚の幕板の、各々の前記端部を収容する幕板収容部を有して同一形状をなす一対の端部収容材を有し、各々の前記端部収容材は、前記幕板収容部より突出する突部と、互いに他の前記端部収容材が有する前記突部を収容する突部収容部と、を有し、各々の前記端部収容材の前記突部が、互いに他の前記端部収容材の前記突部収容部に収容され、各々の前記突部が単一の軸により回動自在に支持されて、前記２枚の幕板の前記端部間をカバーすることを特徴とするデッキ床用コーナー部材である。
【０００７】
このようなデッキ床用コーナー部材によれば、端部が互いに隣り合う２枚の幕板の、各々の端部を収容する対をなす端部収容材は、各端部収容材の突部収容部に、互いに他の端部収容材の突部が収容され、各々の突部が単一の軸により回動自在に支持されているので、端部が収容されて隣り合う２枚の幕板がなす角度に対応させて取り付けて、２枚の幕板の端部間をカバーすることが可能である。また、同一形状をなす２つの端部収容材を組み合わせて構成しているので、互いに異なる部材を組み合わせる場合よりコストを低減することが可能である。このため、角度調節が容易でかつ意匠性に優れ安価なデッキ床用コーナー部材を提供することが可能である。
【０００８】
かかるデッキ床用コーナー部材であって、前記幕板収容部は、前記幕板の外周面と対向する外面部と、前記外面部の上下端から水平方向に延出され前記幕板の上下にそれぞれ位置する一対の上下板部と、を有しており、各々の前記端部収容材は、前記一対の上下板部のうちの一方の前記上下板部が延出されて円弧状をなす第１延出部と、前記一対の上下板部のうちの他方の前記上下板部から延出されて円弧状をなす第２延出部と、前記第１延出部と前記第２延出部との間に、前記第１延出部及び前記第２延出部と対向して円弧状をなす第３延出部と、前記第２延出部と前記第３延出部との外周縁を繋ぐとともに前記外面部と繋がって前記突部をなす周面部と、を有し、前記第１延出部と前記第３延出部との間が前記突部収容部をなしていることが望ましい。
【０００９】
このようなデッキ床用コーナー部材によれば、各々の端部収容材の突部収容部をなす第１延出部と第３延出部との間に、第２延出部、第３延出部、及び、第２延出部と第３延出部との外周縁を繋ぐ周面部を有する、他の端部収容材の突部が収容されているので、各々の端部収容材の周面部により、２枚の幕板の互いに隣り合う端部間をカバーすることが可能である。
【００１０】
かかるデッキ床用コーナー部材であって、前記端部収容材は、前記第２延出部が前記他方の上下板部より前記第１延出部側に位置して形成される段部を有し、各々の前記端部収容材の前記突部が、互いに他の前記端部収容材の前記突部収容部に収容されたときに、前記第１延出部が前記段部に配置されることが望ましい。
【００１１】
このようなデッキ床用コーナー部材によれば、突部収容部に突部が収容されたときに第１延出部が段部に配置されることにより、突部収容部に突部が収容された状態で、第１延出部が上下板部より突出しないように仕上げることが可能である。
【００１２】
かかるデッキ床用コーナー部材であって、前記単一の軸は、前記第１延出部、前記第２延出部、及び、前記第３延出部がなす各円弧の中心を通っており、各々の前記端部収容材における前記第１延出部と前記第３延出部との間には、各々の前記端部収容材の前記突部が、互いに他の前記端部収容材の前記突部収容部に収容されたときに、前記外面部から繋がって突出し、収容された前記突部との間に配置されるヒレ部が設けられていることが望ましい。
【００１３】
このようなデッキ床用コーナー部材によれば、デッキ床用コーナー部材は、外面部から繋がって突出するヒレ部が突部との間に設けられているので、２枚の幕板の互いに隣り合う端部間に生じる隙間を覆うことが可能である。
【００１４】
かかるデッキ床用コーナー部材であって、前記周面部は、各々の前記端部収容材の前記幕板収容部に前記幕板の前記端部を収容した状態で、２つの前記端部収容材を回動させた際に前記デッキ床を形成する床材と干渉する部位を切除するためのけがき溝が設けられていることが望ましい。
【００１５】
このようなデッキ床用コーナー部材によれば、周面部には、幕板の端部が各々収容された２つの端部収容材を回動させた際に干渉する部位を切除するためのけがき溝が設けられているので、２つの端部収容材を回動させたときに、デッキ床を形成する床材と干渉した際には、けがき溝に沿って周面部を切除することにより、隣り合う幕板がなす角部の角度に対応させてデッキ床用コーナー部材を設けることが可能である。
【００１６】
かかるデッキ床用コーナー部材であって、前記周面部は、けがき溝に沿って切除されたときに、前記第２延出部から前記第３延出部に向かって突出するように縁部が残存し、前記縁部は、前記第２延出部の下に挿入され前記デッキ床を形成する床材の上面に当接されることが望ましい。
【００１７】
このようなデッキ床用コーナー部材によれば、周面部のけがき溝に沿って切除されたときに第２延出部側に残存する縁部は、第２延出部から第３延出部に向かって突出して、デッキ床を形成する床材の上面に当接されるので、第２延出部と床材との間に隙間が生じる場合であっても、第２延出部が撓んだり、上方から踏まれて損傷したりすることを防止することが可能である。
【発明の効果】
【００１８】
本発明によれば、角度調節が容易でかつ意匠性に優れ安価なデッキ床用コーナー部材を提供するが可能である。
【図面の簡単な説明】
【００１９】
【図１】本実施形態に係るデッキ床用コーナー部材が用いられているデッキ床を示す平面図である。
【図２】デッキ床のコーナー部の構成を示す斜視図である。
【図３】デッキ床用コーナー部材の構成を示す斜視図である。
【図４】デッキ床用コーナー部材を収容する幕板に沿う方向から見た図である。
【図５】図５（ａ）は、図４におけるＡ−Ａ断面図、図５（ｂ）は、図４におけるＢ−Ｂ断面図、図５（ｃ）は、図４におけるＣ−Ｃ断面図である。
【図６】本実施形態に係るデッキ床用コーナー部材が用いられているデッキ床の他の例を示す平面図である。
【図７】鋭角のコーナー部を示す平断面図である。
【図８】鈍角のコーナー部を示す平断面図である。
【図９】優角のコーナー部を示す平断面図である。
【発明を実施するための形態】
【００２０】
以下、本発明の一実施形態に係るデッキ床のコーナー部材について図面を参照して説明する。
【００２１】
本実施形態のデッキ床のコーナー部材３は、図１、図２に示すように、建物１０から張り出して設けられるデッキ床１の外周に設けられ、端部２ａが互いに隣り合う２枚の幕板２により形成される角部に設けられている。図１の例では、２枚の幕板２が直交する角部には専用の直角コーナー部材１ａを用いており、本発明に係るデッキ床１のコーナー部材（以下、単にコーナー部材という）３は用いていないが、２枚の幕板２が直交する角部に用いても良い。
【００２２】
以下の説明においては、コーナー部材３がデッキ床１に取り付けられている状態で、上下となる方向を上下方向として示す。コーナー部材３の各部位であっても、また、デッキ床１のコーナー部材３を構成する各部材については単体の状態であっても、デッキ床１に取り付けられている状態にて上下方向を特定して説明する。また、デッキ床１において幕板２より床材４側を内側、反対側を外側として示す。
【００２３】
本実施形態のコーナー部材３は、図２に示すように、互いに隣り合う２枚の幕板２の端部２ａを収容し、同一の形状をなす同一の端部収容材３０が２つ組み合わされて構成されている。
【００２４】
幕板２は、デッキ床１の床材４が、その小口と対向する幕板本体部２１と、幕板本体部２１の上端及び下端から床材４側に僅かに張り出した上下張出部２２とを有している。幕板本体部２１に小口を対向させた床材４の端部は、床材４の上方に位置する上下張出部２２の下に挿入されているので、床材４の長さのばらつきによる端部位置のばらつきや、熱により床材４の伸縮による端部位置のばらつきが床材４の上方に位置する上下張出部２２により覆い隠されるように構成されている。
【００２５】
端部収容材３０は、幕板２の端部２ａを収容する幕板収容部３１と、幕板収容部３１から突出させて設けられ平面視円弧状をなす第１延出部３２と、幕板収容部３１から突出させて設けられ第１延出部３２と上下方向に間隔をあけて配置される突部３３と、を有している。コーナー部材３は、図３に示すように、２つの端部収容材３０が組み合わされて構成され、一方の端部収容材３０と他方の端部収容材３０とは上下の向きが逆になるように組み合わされる。ここでは、端部収容材３０の形状を、図３において右側に位置する端部収容材３０のように第１延出部３２が上側に位置する状態にて説明する。
【００２６】
幕板収容部３１は、幕板２の端部における外側の面と対向する外面部３１ａと、外面部３１ａの上下の端部から床材４側に延出された上下板部３１ｂと、を有している。図２に示すように、上下板部３１ｂの内側の先端３１ｃと幕板２の上下張出部２２の内側の先端２２ａとはほぼ同じ位置に位置している。
【００２７】
第１延出部３２は、端部収容材３０の上側の上下板部３１ｂと同一平面を形成し、端部収容材３０に配置される幕板２の長手方向に沿って、幕板２の端部２ａより突出する側に延出されている。第１延出部３２の中心Ｃは、幕板２の長手方向と直交する内外方向において上下板部３１ｂの内側の先端３１ｃ側に偏って配置されており、第１延出部３２の外周円が上下板部３１ｂの外側の端から繋がるように形成されている。このため、第１延出部３２は、上下板部３１ｂより内側に突出している。
【００２８】
突部３３は、平面形状が第１延出部３２と同じ円弧状をなし下側の上下板部３１ｂと繋がって設けられた第２延出部３４と、第１延出部３２及び第２延出部３４の間に設けられ、第１延出部３２及び第２延出部３４のいずれとも上下方向に間隔をあけて設けられ平面形状が第１延出部３２と同じ円弧状をなす第３延出部３５と、第２延出部３２の外周縁と第３延出部３４の外周縁とを上下方向に繋ぐ曲面でなる周面部３６と、を有している。すなわち、第１延出部３２、第２延出部３４、第３延出部３５は、上下方向に重なる同一の中心Ｃを有する同一の円弧状をなしている。このため、第１延出部３２、第２延出部３４、第３延出部３５がなす各円弧の中心Ｃを通る軸３ａ周りに２つの端部収容材３０が互いに回動可能に構成されている。
【００２９】
第２延出部３４は、下側の上下板部３１ｂと繋がるとともに、図４に示すように、下側の上下板部３１ｂより、ほぼ第１延出部３２の厚みｔだけ上側に位置し、第２延出部３４の下面と下側の上下板部３１ｂの下面とが段差を有する段部３１ｄをなすように形成されている。
【００３０】
また、第２延出部３４の下面と第３延出部３５の上面との上下方向における幅ｗ１は、第１延出部３２と第３延出部３５との上下方向における間隔ｗ２より僅かに狭く形成されている。このため、２つの端部収容材３０を、それらの上下を逆にして用い、一方の端部収容材３０の第１延出部３２と第３延出部３５との間に、他方の端部収容材３０の突部３３を収容すると、２つの端部収容材３０が各々備える突部３３が上下方向に重なるとともに、各第１延出部３２、各第２延出部３４、各第３延出部３５の中心Ｃがほほ鉛直線上に配置される。ここで、各端部収容材３０における第１延出部３２と第３延出部３５との間が、突部３３が収容される突部収容部３０ａに相当する。
【００３１】
周面部３６は、図５（ａ）に示すように、外面部３１ａと繋がっており、中心Ｃを通り外面部３１ａと直交する仮想線Ｌより、端部収容材３０と反対側の領域を外周に沿って囲むように設けられている。周面部３６の内面側には、図４、図５に示すように、第２延出部３４と第３延出部３５とから各々僅かに間隔をあけるとともに、第２延出部３４及び第３延出部３５に沿って、周面部３６の厚みが他の部位より薄く形成されたけがき溝３６ａが設けられている。このけがき溝３６ａは、図５（ｂ）に示すように、上下方向に沿って形成されている同様のけがき溝３６ａにより複数箇所（本実施形態においては２箇所）で繋がっている。
【００３２】
第１延出部３２と第３延出部３４との間には、他の端部収容材３０の突部３３が収容されたときに、収容された突部３３の周面部３６と対向する曲面をなす対向曲面部３７が、外面部３１ａにおける第１延出部３２及び第３延出部３５側の端から繋がって、上下板部３１ｂの内側近傍まで設けられている。また、第１延出部３２と第３延出部３４との間には、他の端部収容材３０の突部３３が収容されたときに、外面部３１ａから繋がって、当該外面部３１ａに沿う方向に突出し、収容された突部３３との間に配置されるヒレ部３８が設けられている。ヒレ部３８は、端部収容材３０の他の部位より薄く形成されている。
【００３３】
本実施形態のコーナー部材３は、２つの端部収容材３０のうちの、一方の端部収容材３０の突部収容部３０ａに、他方の端部収容材３０の突部３３が収容されて組み合わされ、各々第１延出部３２と第２延出部３４とが、各々の中心Ｃにおいて皿ビス３９が螺合されて一体化されている。すなわち、２つの端部収容材３０は、上下に螺合されている皿ビス３９を軸として回動自在に設けられている。このため、各端部収容材３０の幕板収容部３１に収容される２枚の幕板２がなす角度に合わせて回動させて２つの端部収容材３０がなす角度を調節した後に皿ビス３９により角度を固定することが可能である。
【００３４】
例えば、図１に示すデッキ床１のように、互いに隣り合う幕板２がなす角度が鈍角の場合や、図６に示すデッキ床１ように、互いに隣り合う幕板２がなす角度が鋭角、または、優角をなす場合であっても、組み合わされた２つの端部収容材３０を回動させることにより角度を調節して取り付けることが可能である。
【００３５】
互いに隣り合う幕板２がなす角部が鋭角の場合には、図７に示すように、一方の端部収容材３０の突部収容部３０ａに、他方の端部収容材３０の突部３３が収容されると、一方の端部収容材３０の第１延出部３２と第３延出部３５との外周縁に沿って他方の端部収容材３０の周面部３６が配置され、一方の端部収容材３０の突部収容部３０ａ、すなわち、一方の端部収容材３０の第１延出部３２と第３延出部３５との間の空間が外側から囲まれる。このとき、他方の端部収容材３０の周面部３６と一方の端部収容材３０の対向曲面部３７とは、間隔が空いているが、一方の端部収容材３０の外面部３１ａに沿って延出されているヒレ部３８により、コーナー部材３の内側に位置する幕板２の小口が外側に露出しないように構成されている。
【００３６】
互いに隣り合う幕板２がなす角部が鈍角の場合も鋭角の場合と同様に、一方の端部収容材３０の突部収容部３０ａに、他方の端部収容材３０の突部３３が収容されると、一方の端部収容材３０の第１延出部３２と第３延出部３５との外周縁に沿って他方の端部収容材３０の周面部３６が配置され、一方の端部収容材３０の突部収容部３０ａ、すなわち、一方の端部収容材３０の第１延出部３２と第３延出部３５との間の空間が外側から囲まれる。
【００３７】
このとき、幕板２がなす角部が鈍角の場合に他方の端部収容材３０をそのまま用いると、図８に示すように、他方の端部収容材３０の周面部３６が、一方の端部収容材３０に収容されている幕板２の内側面より内側に突出するので、幕板２に設けられた上側の上下張出部２２の下に挿入されるべき床材４の端部が他方の端部収容材３０の周面部３６と干渉してしまう。このため、互いに隣り合う幕板２がなす角部が鈍角の場合には、上側に突部３３が配置されている端部収容材３０の周面部３６に設けられているけがき溝３６ａに沿って周面部３６の一部を切除する。このとき、切除された周面部３６は、幕板２の内側面より内側に突出しないように切除する。
【００３８】
また、周面部３６に設けられたけがき溝３６ａは、第２延出部３４から間隔をあけて設けられているので、周面部３６の切除された部位の上には、第２延出部３４から下方に突出するように縁部３６ｂ（図４）が残存する。
【００３９】
縁部３６ｂは、図２に示すように、コーナー部材３の第２延出部３４の下に挿入された床材４の上面との間に形成される空隙Ｓの高さと一致するように構成されている。このため、デッキ床１のコーナー部材３の第１延出部３２を使用者が踏んだとしても、第１延出部３２及び第２延出部３４が撓み難く、また破損し難い。尚、図２においては、互いに隣り合う幕板２がなす角部が直角であるため、周面部３６を切除しないので縁部３６ｂは形成されていない。
【００４０】
互いに隣り合う幕板２がなす角部が優角となる場合も鈍角の場合と同様に、一方の端部収容材３０の突部収容部３０ａに、他方の端部収容材３０の突部３３が収容されると、一方の端部収容材３０の第１延出部３２と第３延出部３５との外周縁に沿って他方の端部収容材３０の周面部３６が配置され、一方の端部収容材３０の突部収容部３０ａ、すなわち、一方の端部収容材３０の第１延出部３２と第３延出部３５との間の空間が外側から囲まれる。
【００４１】
このとき、幕板２がなす角部が優角となる場合に他方の端部収容材３０をそのまま用いると、図９に示すように、他方の端部収容材３０の周面部３６が、一方の端部収容材３０に収容されている幕板２の内側面より内側に、鈍角の場合より更に大きく突出する。このため、互いに隣り合う幕板２がなす角部が優角となる場合には、上側に突部３３が配置されている端部収容材３０の周面部３６に設けられているけがき溝３６ａに沿って周面部３６の一部を鈍角の場合より大きく切除する。
【００４２】
このように、端部収容材３０の周面部３６は、互いに隣り合う幕板２がなす角度に応じて切除される大きさが相違する。このため、第２延出部３４及び第３延出部３５に沿って形成されているけがき溝３６ａにわたる縦のけがき溝３６ａは、切除する大きさを調節できるように複数設けられていることが望ましい。
本実施形態においては、２箇所に設けられており、互いに隣り合う幕板２がなす角部が鈍角の場合には、周面部３６の先端側に近い縦のけがき溝３６に沿って周面部３６が切除され、互いに隣り合う幕板２がなす角部が優角となる場合には、周面部３６の先端側から離れた側に位置する縦のけがき溝３６ａに沿って周面部３６が切除される。
【００４３】
また、互いに隣り合う幕板２がなす角部が優角となる場合には、上側に突部３３が配置されている端部収容材３０の周面部３６と、上側に突部収容部３０ａが配置されている端部収容材３０のヒレ部３８とが干渉するので、上側に突部収容部３０ａが配置されている端部収容材３０のヒレ部３８も切除する。
【００４４】
本実施形態のデッキ床用コーナー部材３によれば、互いに隣り合う２枚の幕板２の端部２ａを各々収容する２つの端部収容材３０は、各端部収容材３０の突部収容部３０ａに、互いに他の端部収容材３０の突部３３が収容され、各々の突部３３が単一の軸３ａにより回動自在に支持されているので、互いに隣り合う２枚の幕板２がなす角度に対応させて取り付けて、２枚の幕板２の各端部２ａ間をカバーすることが可能である。
【００４５】
また、２つの端部収容材３０は同一形状をなしているので、同一の２つの部材を組み合わせて構成することが可能であり、互いに異なる部材を組み合わせる場合よりコストを低減することが可能である。このため、角度調節が容易でかつ意匠性に優れ安価なデッキ床用コーナー部材３を提供することが可能である。
【００４６】
また、各々の端部収容材３０の突部収容部３０ａをなす第１延出部３２と第３延出部３５との間に、第２延出部３４、第３延出部３５、及び、第２延出部３４と第３延出部３５との外周を繋ぐ周面部３６を有する、他の端部収容材３０の突部３３が収容されているので、各々の端部収容材３０の周面部３６により互いに隣り合う２枚の幕板２の端部２ａ間をカバーすることが可能である。
【００４７】
また、突部収容部３０ａに突部３３が収容されたときに第１延出部３２が段部３１ｄに配置されることにより、突部収容部３０ａに突部３３が収容された状態、すなわちデッキ床用コーナー部材３として取り付けられる場合には、第１延出部３２が上下板部３１ｂより突出しにくいので、デッキ床１の上面をより平坦に仕上げることが可能である。本実施形態においては、第２延出部３４と上下板部３１ｂとが形成する段部３２ｄの段差を、ほぼ第１延出部３２の厚みｔとしたので、デッキ床１の上面に第１延出部３２が突出することなく平坦な床面を形成することが可能である。
【００４８】
第１延出部３２と第３延出部３５との間に収容される突部３３の周面部３６は断面形状が円弧状をなすような曲面をなしているので、互いに隣接する２枚の幕板２がなす角度により、他の端部収容材３０の外面部３１ａとの間に隙間が生じる虞がある。このため、上記のようなデッキ床用コーナー部材３のように、外面部３１ａから繋がって当該外面部３１ａに沿う方向に突出するヒレ部３８が設けられていると、互いに隣り合う２枚の幕板２の端部２ａ間に生じる隙間を覆うことが可能である。
【００４９】
また、周面部３６には、幕板２の端部２ａが各々収容された２つの端部収容材３０を回動させた際に床材４と干渉する部位を切除するためのけがき溝３６ａが設けられているので、２つの端部収容材３０を回動させたコーナー部材３に床板４が干渉した際には、けがき溝３６ａに沿って周面部３６を切除することにより、隣り合う幕板２がなす角部の角度に対応させて用いることが可能である。
【００５０】
また、周面部３６のけがき溝３６ａに沿って切除されて残存する縁部３６ｂは、第２延出部３４から第３延出部３５に向かって突出して、デッキ床１を形成する床材４の上面に当接されるので、第２延出部３４と床材４との間に隙間が生じる場合であっても、第２延出部３４が撓んだり、上方から踏まれて損傷したりすることを防止することが可能である。
【００５１】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５２】
１  デッキ床、２  幕板、２ａ  端部、３  コーナー部材、３ａ  軸、４  床材、
３０  端部収容材、３０ａ  突部収容部、３１  幕板収容部、３１ａ  外面部、
３１ｂ  上下板部、３１ｄ  段部、３２  第１延出部、３３  突部、３４  第２延出部、
３５  第３延出部、３６  周面部、３６ａ  けがき溝、３６ｂ  縁部、
３８  ヒレ部、３９  皿ビス、Ｃ  中心
【図１】
0006510431.tif 000002
【図２】
0006510431.tif 000003
【図３】
0006510431.tif 000004
【図４】
0006510431.tif 000005
【図５】
0006510431.tif 000006
【図６】
0006510431.tif 000007
【図７】
0006510431.tif 000008
【図８】
0006510431.tif 000009
【図９】
0006510431.tif 000010